(57)【特許請求の範囲】
【請求項１】
電気機器を収納するための筐体を有するキャビネットラックであって、
前記筐体を構成する複数の垂直フレームと、
前記電気機器を固定するための垂直面を有する複数のマウント部材と、を含み、
前記筐体の前後左右を基準にして、
前方又は後方に配置される一対の前記マウント部材の前記垂直面は、いずれの前記垂直フレームよりも前方又は後方に位置する、キャビネットラック。
【請求項２】
左右方向に延びる２つの固定部材をさらに含み、
前記固定部材は、前記筐体の前方又は後方における上部及び下部にそれぞれ結合され、前記垂直フレームよりも前方又は後方に突出し、
前方又は後方に配置される一対の前記マウント部材が、前記固定部材にそれぞれ固定される、請求項１に記載のキャビネットラック。
【請求項３】
前記筐体の前方又は後方に結合される延長部材をさらに含み、
前記延長部材は、板材によって構成される上部、下部、左側部及び右側部を有し、
前記上部及び前記下部は、前記筐体の上部及び下部にそれぞれ結合され、前記左側部及び前記右側部は、その全部又は一部が着脱自在に構成される、請求項１に記載のキャビネットラック。
【請求項４】
前記筐体の前方又は後方に結合される延長部材をさらに含み、
前記延長部材は、板材によって構成される上部、下部、左側部及び右側部を有し、
前記上部及び前記下部は、前記筐体の上部及び下部、又は前記固定部材にそれぞれ結合され、前記左側部及び前記右側部は、その全部又は一部が着脱自在に構成される、請求項２に記載のキャビネットラック。
【発明の詳細な説明】
【技術分野】
【０００１】
本発明は、例えば、ＨＵＢ、ルータ、サーバ、ＵＰＳ、情報通信装置、制御装置、計測器、配電盤等の電気機器を収納するためのキャビネットラック、及び複数のキャビネットラックの結合体に関する。
【背景技術】
【０００２】
近年の情報通信技術は、著しい進化を遂げた。インターネット、ＬＡＮ、ＣＡＴＶなどの情報通信に用いられる電気機器は、我々の生活に欠かせないものとなった。従来のキャビネットラックとして、本出願人の一方である日東工業株式会社の特開２０１４−２７０８２号公報（特許文献１）、特開２０１４−１１３８０号公報（特許文献２）、特開２０１５−５６５６号公報（特許文献３）、及び特開２０１５−５６５７号公報（特許文献４）を例示する。
【０００３】
特開２０１４−２７０８２号公報には、キャビネットラックの一般的な構造が開示されている。キャビネットラックは、１２本のフレームによって構成される筐体を備えている。筐体の内部には、垂直方向に延びる４つのマウントアングルが配置されている。各マウントアングルには、電気機器を固定するための多数の孔が設けられている。電気機器の前後４か所が、各マウントアングルのいずれかの孔に固定される。
【０００４】
また、特開２０１４−１１３８０号公報には、隣接して配置される複数のキャビネットラックが開示されている。各キャビネットラックの側板には、複数の開口部が設けられている。各開口部は、スライドパネルによって塞がれている。スライドパネルは、開口部に配線を通過させるためにスライドされる。隣接する２つのキャビネットラック内の電気機器は、開口部を通過する配線によって電気的に接続される。
【０００５】
さらに、特開２０１５−５６５６号公報、及び特開２０１５−５６５７号公報には、メインキャビネットと、配線用キャビネットとを含むキャビネットラックが開示されている。メインキャビネットは、電気機器を収納することが可能な最も小さいサイズの横幅を有する。配線用キャビネットは、メインキャビネットの前面又は背面に配置される。配線用キャビネットは、天板と、底板と、左側板と、右側板とを含む。左側板及び右側板の内面には、コンセントバー、配線処理部材、配線レールなどが設けられる。
【先行技術文献】
【特許文献】
【０００６】
【特許文献１】特開２０１４−２７０８２号公報
【特許文献２】特開２０１４−１１３８０号公報
【特許文献３】特開２０１５−５６５６号公報
【特許文献４】特開２０１５−５６５７号公報
【発明の概要】
【発明が解決しようとする課題】
【０００７】
特開２０１４−２７０８２号公報に開示されているように、従来のキャビネットは、筐体の前方及び後方にマウントアングルが配置された構成となっていた。前方のマウントアングルは、前方の垂直フレームよりも後方に位置していた。後方のマウントアングルは、後方の垂直フレームよりも前方に位置していた。このようなマウントアングルと垂直フレームとの配置関係が、キャビネットラックに収納された電気機器の配線作業を困難にしていた。すなわち、前方のマウントアングルに固定された電気機器の前面は、前方の垂直フレームよりも後方に位置することになる。このため、前方の垂直フレームは、電気機器の前面における配線スペースを狭め、配線作業の邪魔になる。また、隣接する２つのキャビネットラック内の電気機器を接続する場合、前方の垂直フレームは、配線の経路に干渉してしまう。このような問題は、後方のマウントアングルと後方の垂直フレームとの間においても同様に生じる。
【０００８】
また、特開２０１４−１１３８０号公報のキャビネットラックは、配線を通過させるための開口部が側板に設けられている。しかし、開口部は、側板における位置が決められ、面積も限られている。開口部の位置及び面積は、キャビネットラックに収納された電気機器の配線の自由度を制限する。また、開口部に配線を通さなければならないため、配線作業は困難である。
【０００９】
さらに、特開２０１５−５６５６号公報、及び特開２０１５−５６５７号公報のキャビネットラックは、配線用キャビネットを必須とする。特に、配線用キャビネットの左側板及び右側板は、電気機器に接続された配線を処理するために不可欠である。特開２０１５−５６５６号公報の図１３及び図１４に示されるように、隣接する２つのキャビネットラック内の電気機器を接続する場合、左側板及び右側板は、配線の経路を塞いでしまう。
【００１０】
本発明は、上記問題点に鑑みてなされたものであり、収納された電気機器の配線の自由度が向上され、配線作業が容易になるキャビネットラック及び複数のキャビネットラックの結合体を提供することを目的とする。
【課題を解決するための手段】
【００１１】
（１）上記目的を達成するために、本発明のキャビネットラックは、電気機器を収納するための筐体を有するキャビネットラックであって、前記筐体を構成する複数の垂直フレームと、前記電気機器を固定するための垂直面を有する複数のマウント部材と、を含み、前記筐体の前後左右を基準にして、前方又は後方に配置される一対の前記マウント部材の前記垂直面は、いずれの前記垂直フレームよりも前方又は後方に位置する。
【００１２】
上記（１）のキャビネットラックでは、各マウント部材に固定された電気機器の前面又は後面が、いずれの垂直フレームよりも前方又は後方に位置する。この構成により、垂直フレームが、電気機器の前面又は後面における配線スペース及び配線経路に干渉しなくなる。したがって、上記（１）のキャビネットラックによれば、収納された電気機器の配線の自由度が向上され、配線作業が容易になる。
【００１３】
（２）好ましくは、上記（１）のキャビネットラックにおいて、左右方向に延びる２つの固定部材をさらに含み、前記固定部材は、前記筐体の前方又は後方における上部及び下部にそれぞれ結合され、前記垂直フレームよりも前方又は後方に突出し、前方又は後方に配置される一対の前記マウント部材が、前記固定部材にそれぞれ固定される。
【００１４】
上記（２）のキャビネットラックでは、マウント部材が、筐体の前方又は後方に結合された固定部材に固定される。この構成により、マウント部材の電気機器を固定するための垂直面が、筐体よりも前方又は後方に位置する。したがって、電気機器の配線の自由度が更に向上し、配線作業はより容易になる。
【００１５】
（３）好ましくは、上記（１）又は（２）のキャビネットラックにおいて、前記筐体の前方又は後方に結合される延長部材をさらに含み、前記延長部材は、板材によって構成される上部、下部、左側部及び右側部を有し、前記上部及び前記下部は、前記筐体の上部及び下部、又は前記固定部材にそれぞれ結合され、前記左側部及び前記右側部は、その全部又は一部が着脱自在に構成される。
【００１６】
上記（３）のキャビネットラックでは、延長部材の左側部又は右側部を取り外すことにより、電気機器の配線の妨げとなる部材を無くすことが可能である。すなわち、上記（１）又は（２）の構成により、各垂直フレームは、電気機器の配線の妨げにならない。そして、上記（３）の構成により、延長部材の左側部又は右側部が、電気機器の配線経路から取り除かれる。この結果、電気機器の配線の妨げとなる部材が無くなり、電気機器の配線は、極めて自由かつ容易なものとなる。上記（３）の構成は、複数のキャビネットラックが隣接して配置される場合に、特に有効である。
【発明の効果】
【００１７】
本発明のキャビネットラック、及び複数のキャビネットラックの結合体によれば、収納された電気機器の配線の自由度が向上され、配線作業が容易になる。
【図面の簡単な説明】
【００１８】
【図１】本発明の実施形態に係るキャビネットラックを示す斜視図である。
【図２】上記キャビネットラックの扉が開けられ、且つ延長部材の左右部分が取り外された状態を示す斜視図である。
【図３】図１のＩ−Ｉ断面における上記キャビネットラックの水平断面図である。
【図４】上記キャビネットラックの筐体を示す分解斜視図である。
【図５】図４の基部周辺を示す部分拡大断面図である。
【図６】図４の基部周辺の後方のみを示す部分拡大断面図である。
【図７】上記キャビネットラックの延長部材を示す分解斜視図である。
【図８】上記延長部材を構成する上部を示す斜視図である。
【図９】上記延長部材を構成する下部を示す斜視図である。
【図１０】隣接して配置された複数の上記キャビネットラックを示す斜視図である。
【図１１】上記キャビネットラックの隣接する前扉板が開かれた状態を示す斜視図である。
【図１２】図１０のＩＩ−ＩＩ断面における上記キャビネットラックの水平断面図である。
【図１３】図１１の下部中央を示す部分拡大断面図である。
【図１４】上記延長部材を構成する下部と右側部との結合構造を示す斜視図である。
【発明を実施するための形態】
【００１９】
以下、本発明の実施形態に係るキャビネットラックについて、図面を参照しつつ説明する。
【００２０】
＜キャビネットラック＞
図１〜３は、本実施形態のキャビネットラック１の全体構造を示す。キャビネットラック１は、筐体１０と、２つの固定部材４０と、延長部材５０とを含む。なお、キャビネットラック１の前後左右の方向は、筐体１０を基準に定義される。
【００２１】
筐体１０は、縦に長い直方体の箱である。筐体１０内には、図示しない電気機器が収納される。筐体１０内に収納される電気機器には、例えば、ＨＵＢ、ルータ、サーバ、ＵＰＳ、通信装置、制御装置、計測器、配電盤等が含まれる。本実施形態の筐体１０は、前面が開口する。２つの固定部材４０は、筐体１０の開口の上部及び下部にそれぞれ結合される。延長部材５０は、筐体１０の開口及び固定部材４０に結合される。延長部材５０は、固定部材４０よりもさらに筐体１０の前方に突出する、上下左右の４つの面を形成する。そして、延長部材５０の前方は、開閉自在の前扉板１４が取り付けられる。
【００２２】
＜筐体＞
次に、筐体１０の構成について詳細に説明する。図４に示されるように、筐体１０は、４つの垂直フレーム２１と、８つの水平フレーム２２とを含む。垂直フレーム２１及び水平フレーム２２は、例えば、曲げ加工された金属板からなる。垂直フレーム２１及び水平フレーム２２は、筐体１０の直方体の輪郭を形成するように組み立てられる。４つの垂直フレーム２１のそれぞれは、筐体１０の四隅に配置され、垂直方向に延びる。８つの水平フレーム２２のそれぞれは、２つの垂直フレーム２１の上端又は下端に架設される。このうち、４つの水平フレーム２２は前後方向に延び、他の４つの水平フレーム２２は左右方向に延びる。さらに、図３及び図４に示されるように、前後方向に延びる４つの水平フレーム２２のうち、下の２つの水平フレーム２２には、それぞれ補強部材２３が設けられている。補強フレーム２３は、垂直フレーム２１に結合される。
【００２３】
図１〜３に示されるように、垂直フレーム２１、水平フレーム２２及び補強部材２３の組立体には、天板１１、左右の側板１２、後扉板１３及び基部１５がそれぞれ結合される。天板１１、側板１２、後扉板１３及び基部１５は、例えば、曲げ加工された金属板からなる。天板１１には、４つの蓋板１１ａが取り付けられる。各蓋板１１ａは、天板１１に設けられた図示しない４つの開口部を塞ぐ。開口部は、例えば、図示しないガイド部材を取り付けるために使用される。ガイド部材は、開口部を介して、筐体１０内に配線を案内する。ガイド部材を取り付ける場合、蓋板１１ａは、天板１１の開口部から取り外される。図３に示されるように、本実施形態の基部１５は、第１の基部１５ａと、第２の基部１５ｂと、第３の基部１５ｃとで構成される。
【００２４】
＜マウント部材＞
図４及び図５に示されるように、キャビネットラック１は、筐体１０内に電気機器を固定するための４つのマウント部材３０を備える。マウント部材３０は、マウントアングル３１と、マウントレール３２とで構成される。マウントアングル３１及びマウントレール３２は、例えば、曲げ加工された金属板からなり、いずれも垂直方向に延びる。
【００２５】
マウントアングル３１は、略Ｌ字形の断面を有し、電気機器を固定するための垂直面３１ａを有する。垂直面３１ａに沿って、多数の第１孔３１ｂが設けられる。一方、マウントレール３２は、略Ｕ字形の断面を有し、垂直な正面に多数の第２孔３２ｂが設けられる。多数の第２孔３２ｂには、図２及び３に示されるような、多数のフィンガー３３が取り付けられる。
【００２６】
ここで、本実施形態のキャビネットラック１は、前方に配置される一対のマウント部材３０の垂直面３１ａと、垂直フレーム２１との位置関係を特徴の一つとする。すなわち、図３〜５に示されるように、４つのマウント部材３０の左右方向の位置は、いずれの垂直フレーム２１よりも内側である。なお、マウント部材３０の位置は、特に限定されるものではない。例えば、マウント部材３０は、垂直フレーム２１と前後方向に並んで配置されてもよい。また、マウント部材３０は、垂直フレーム２１の左右方向の外側に配置されてもよい。
【００２７】
４つのマウント部材３０のうち、前方に配置される一対のマウント部材３０の垂直面３１ａは、いずれの垂直フレーム２１よりも前方に位置する。この位置関係により、各マウント部材３０に固定された電気機器の前面が、いずれの垂直フレーム２１よりも前方に位置することになる。この結果、垂直フレーム２１が、電気機器の前面における配線スペース及び配線経路に干渉しなくなる。したがって、本実施形態のキャビネットラック１によれば、収納された電気機器の配線の自由度が向上され、配線作業が容易になる。
【００２８】
また、前方に配置される一対のマウント部材３０は、上述した２つの固定部材４０にそれぞれ固定される。この構成により、これらマウント部材３０の垂直面３１ａが、筐体１０の前面開口よりも前方に位置する。この結果、垂直フレーム２１に加えて、筐体１０の外壁を構成する側板１２が、電気機器の前面における配線スペース及び配線経路に干渉しなくなる。そして、本実施形態のキャビネットラック１は、延長部材５０の特徴と相俟って、電気機器の配線の自由度が更に向上し、配線作業がより容易になる。延長部材５０の特徴については、後述する。
【００２９】
さらに、本実施形態のキャビネットラック１では、固定部材４０が水平フレーム２２の上に重なって結合されることで、前方に配置される一対のマウント部材３０の設置スペースを確保している。つまり、固定部材４０は、幅の狭い水平フレーム２２の面積を拡張する役割を果たす。これに加え、固定部材４０は、筐体１０の強度を向上させる役割も果たす。すなわち、前方に配置される左右一対の垂直フレーム２１と、上下一対の水平フレーム２２とは、四角形状の枠体を構成することで強度を発現する。そして、固定部材４０が水平フレーム２２の上に重なって結合されることにより、前方に配置される一対のマウント部材３０を、上述した四角形状の枠体のより近傍に配置することが可能となる。特に、マウント部材３０が垂直フレーム２１の近傍に配置されることにより、筐体１０の強度が向上し、キャビネットラック１の耐震性が高くなる。つまり、固定部材４０を採用したことで、電気機器の配線の自由度と、キャビネットラック１の耐震性との両方が良好なものとなる。
【００３０】
なお、図３及び６に示すように、後方に配置される一対のマウント部材３０は、連結金具２４を介して、上述した補強部材２３にそれぞれ固定される。ここで、本実施形態では、前方に配置された一対のマウント部材３０に特徴を持たせたが、本発明は、本実施形態の構成に限定されない。例えば、本実施形態の特徴的な構成は、後方に配置された一対のマウント部材３０にそのまま適用することが可能である。
【００３１】
＜延長部材＞
図７〜９は、本実施形態の延長部材５０の構造を示す。図７に示されるように、延長部材５０は、上部５１と、下部５２と、左側部５３と、右側部５４とを含む。上部５１、下部５２、左側部５３及び右側部５４は、例えば、曲げ加工された金属板によって構成される。
【００３２】
本実施形態の延長部材５０は、左側部５３及び右側部５４が着脱自在であることを特徴の一つとする。つまり、延長部材５０の左側部５３又は右側部５４を取り外すことにより、電気機器の配線の妨げとなる部材を無くすことが可能である。すなわち、本実施形態のキャビネットラック１では、垂直フレーム２１及び側板１２が、電気機器の前面における配線スペース及び配線経路に干渉しなくなる。さらに、延長部材５０の左側部５３又は右側部５４を取り外すことにより、電気機器の前面で配線の妨げとなる部材は無くなる。
【００３３】
図８に示されるように、上部５１の左右両側には、一対の垂直部５１ａが連続して設けられる。垂直部５１ａは、上部５１の水平な本体から下方に向かって延びる。右側の垂直部５１ａの前面には、ヒンジ５１ｂが取り付けられている。ヒンジ５１ｂは、下方に向かって突出する回転軸を有する。一方、左側の垂直部５１ａには、鎖錠受金具５１ｃが取り付けられている。さらに、上部５１の本体には、４つの蓋板５１ｄが取り付けられる。各蓋板５１ｄは、上部５１の本体に設けられた図示しない４つの開口部を塞ぐ。開口部は、例えば、電気機器の前面に接続される配線を通すために使用される。このような場合、蓋板５１ｄは、開口部から取り外される。例えば、開口部の中には、ガイド部材が取り付けられてもよい。
【００３４】
図９に示されるように、下部５２の左右両側には、一対の垂直部５２ａが連続して設けられる。垂直部５２ａは、下部５２の水平な本体から上方に向かって延びる。右側の垂直部５２ａの前面には、ヒンジ５２ｂが取り付けられている。ヒンジ５２ｂは、上方に向かって突出する回転軸を有する。一方、左側の垂直部５２ａには、鎖錠受金具５２ｃが取り付けられている。
【００３５】
図２に示されるように、ヒンジ５１ｂ、５２ｂの回転軸は、前扉板１４の上下に設けられた軸受孔に挿通される。この構成により、前扉板１４は、延長部材５０の右側に回動自在に取り付けられる。また、鎖錠受金具５１ｃ、５２ｃは、前扉板１４の裏側の上下に設けられた鎖錠部１４ａに結合する。鎖錠受金具５１ｃ、５２ｃが鎖錠部１４ａに結合したとき、前扉板１４は、閉じた状態で維持される。なお、前扉板１４の開閉方向は、特に限定されない。例えば、図１１に示されるように、前扉板１４は、左右いずれかの方向に開閉するように構成することが可能である。
【００３６】
ここで、本実施形態の延長部材５０は、左側部５３及び右側部５４の一方又は両方を取り外した場合でも、前扉板１４が、開閉及び鎖錠可能な状態で上部５１及び下部５２に保持される。したがって、本実施形態の延長部材５０によれば、前扉板１４の機能を低下させることなく、左側部５３及び右側部５４を容易に取り外すことが可能である。
【００３７】
図１４は、下部５２と右側部５４との結合構造の一例を示す。図１４に示されるように、右側部５４の内面の下端には、結合金具５４ａが溶接される。結合金具５４ａは、溶接面と、水平面と、垂直面とを有する。これら３つの面は、いずれも前後方向に延びる。一方、下部５２の垂直部５２ａの上端には、結合部５２ｄが設けられる。結合部５２ｄは、垂直部５２ａの金属板を９０度に２回折り曲げることにより構成される。結合部５２ｄは、結合金具５４ａの水平面及び垂直面に対応する。右側部５４の結合金具５４ａは、下部５２の結合部５２ｄに重ねられ、２つのねじ５４ｂで結合される。
【００３８】
右側部５４の内面の上端、左側部５３の内面の上端及び下端にも、図１４の結合金具５４ａと同じ結合金具がそれぞれ溶接されている。また、下部５２の他方の垂直部５２ａの上端、上部５１の両方の垂直部５１ａの下端にも、図１４の結合部５２ｄと同じ結合部が設けられる。これらの図示しない結合金具と結合部とは、いずれも図１４のねじ５４ｂと同じねじで結合される。
【００３９】
図１４に示される結合構造では、合計４つのねじ５４ｂによって、上部５１及び下部５２から右側部５４を容易に着脱することが可能である。左側部５３についても同様である。さらに、結合構造が、延長部材５０の内側で且つ前扉板１４の背後に位置するので、延長部材５０の外側から左側部５３及び右側部５４を取り外すことはできない。この結果、キャビネットラック１の内部のセキュリティが向上する。
【００４０】
＜配線経路＞
次に、複数のキャビネットラック１が隣接して配置された場合の配線経路について、図１０〜１３を参照しつつ説明する。
【００４１】
図１０は、２つのキャビネットラック１が隣接して配置された状態を示す。図１１は、各キャビネットラック１の前扉板１４が開けられた状態を示す。図１１に示されるように、左側のキャビネットラック１は、延長部材５０から右側部５４が取り外されている。一方、右側のキャビネットラック１は、延長部材５０から左側部５３が取り外されている。この結果、２つの延長部材５０の間に、電気機器の配線の妨げとなる部材が無くなり、２つの延長部材５０の間が広い空間によって連続する（図１１〜１３中の白い矢印を参照）。したがって、本実施形態のキャビネットラック１によれば、電気機器の配線は、極めて自由かつ容易なものとなる。
【符号の説明】
【００４２】
１  キャビネットラック
１０  筐体
１１  天板
１１ａ  蓋板
１２  側板
１３  後扉板
１４  前扉板
１４ａ  鎖錠部
１５  基部
２１  垂直フレーム
２２  水平フレーム
２３  補強部材
２４  連結金具
３０  マウント部材
３１  マウントアングル
３１ａ  垂直面
３１ｂ  第１孔
３２  マウントレール
３２ｂ  第２孔
３３  フィンガー
４０  固定部材
５０  延長部材
５１  上部
５１ａ  垂直部
５１ｂ  ヒンジ
５１ｃ  鎖錠受金具
５１ｄ  蓋板
５２  下部
５２ａ  垂直部
５２ｂ  ヒンジ
５２ｃ  鎖錠受金具
５２ｄ  結合部
５３  左側部
５３ｃ  鎖錠受金具
５４  右側部
５４ａ  結合金具
５４ｂ  ねじ
【図１】
0006537999.tif 000002
【図２】
0006537999.tif 000003
【図３】
0006537999.tif 000004
【図４】
0006537999.tif 000005
【図５】
0006537999.tif 000006
【図６】
0006537999.tif 000007
【図７】
0006537999.tif 000008
【図８】
0006537999.tif 000009
【図９】
0006537999.tif 000010
【図１０】
0006537999.tif 000011
【図１１】
0006537999.tif 000012
【図１２】
0006537999.tif 000013
【図１３】
0006537999.tif 000014
【図１４】
0006537999.tif 000015